(57)【要約】      （修正有）【課題】袖看板の取付けが容易な看板取付ユニット及びそれを備える看板を提供する。【解決手段】看板本体１を支柱に取り付ける為の看板取付ユニット１０は、長手方向に延びる板状の上部ホールド部２１と、その長手方向基端に上部ホールド部と交差方向に延びる上部取付部２２とを備える上部看板ホールド部材２０と、長手方向に延びる板状の下部ホールド部４１とその長手方向基端に下部ホールド部と交差方向に延び下部ホールド部から下側に延びる下部支柱固定面４３を有する下部取付部４２とを備える下部看板ホールド部材４０と、上部支柱固定面５１とそれと直角方向に連続する看板係着面５２とを備える係着部材５０と、支柱の外周側面との対応形状を有し側面の開放部に、上部支柱固定面に対向する上部看板取付面６１を有する上側バンド部材６０と下部支柱固定面に対向する下部看板取付面７１を有する下側バンド部材７０とを備える。【選択図】図１
0003206475.tif 000002
【実用新案登録請求の範囲】
【請求項１】
上平面と下平面とを有する看板本体を支柱に取り付けるための看板取付ユニットであって、
長手方向に延びる板状の上部ホールド部と、前記上部ホールド部の長手方向の基端に前記上部ホールド部と交差する方向に延びる上部取付部と、を備える上部看板ホールド部材と、
長手方向に延びる板状の下部ホールド部と、前記下部ホールド部の長手方向の基端に前記下部ホールド部と交差する方向に延びており前記下部ホールド部から下側に延びる下部支柱固定面を有する下部取付部と、を備える下部看板ホールド部材と、
上部支柱固定面と、前記上部支柱固定面と直角をなすように連続している看板係着面と、を備える係着部材と、
前記支柱の外周側面に対応する形状を有しその側面の一部が開放しており開放している部分に、前記上部支柱固定面に対向する上部看板取付面が設けられた上側バンド部材と、
前記下部取付部に対向する下部看板取付面が設けられた下側バンド部材と、
を備える、看板取付ユニット。
【請求項２】
前記上部ホールド部の先端側に前記上部ホールド部の上平面に立設する吊り部材を備える、請求項１に記載の看板取付ユニット。
【請求項３】
看板本体と請求項１又は２に記載の看板取付ユニットとを備える看板であって、
前記看板本体の上平面に対して前記上部ホールド部の長手方向の面を接合することで、前記上部看板ホールド部材が前記看板本体の上平面に取り付けられ、
前記看板本体の下平面に対して前記下部ホールド部の長手方向の面を接合することで、前記下部看板ホールド部材が前記看板本体の下平面に取り付けられ、
前記上側バンド部材と前記下側バンド部材とが看板本体の高さ寸法に対応して前記支柱の長手方向に離隔して配設され、
前記上側バンド部材の前記上部看板取付面と前記係着部材の前記上部支柱固定面とが当接されて前記支柱に前記係着部材が固定され、
前記係着部材の前記看板係着面と前記上部看板ホールド部材の前記上部取付部とが当接され、
前記下側バンド部材の前記下部看板取付面と前記下部看板ホールド部材の前記下部取付面とが当接されて固定され、
前記看板本体が前記看板取付ユニットにより前記支柱に取り付けられた看板。
【請求項４】
前記上側バンド部材の前記上部看板取付面と前記係着部材の前記上部支柱固定面を当接させる方向が、前記支柱の長手方向と直角をなし、
前記係着部材の看板係着面と前記上部看板ホールド部材の上部取付部とを当接させる方向が、前記支柱の長手方向と平行をなし、
前記下側バンド部材の下部看板取付面と前記下部看板ホールド部材の下部取付面とを当接させる方向が、前記支柱の長手方向と直角をなし、
前記看板本体が前記看板取付ユニットにより前記支柱に取り付けられる、請求項３に記載の看板。
【考案の詳細な説明】
【技術分野】
【０００１】
本考案は、店名、広告などの情報を表示する看板本体を支柱に容易に取り付けるための看板取付ユニットと、その看板取付ユニットにより支柱に取り付けられた看板とに関する。
【背景技術】
【０００２】
店名や広告などの情報を表示するために、立看板、野立看板、Ａ型看板等の看板に情報を表示することが広く行われている。例えば、繁華街などのように商業施設が密集している場所では、視認性や省スペース性などの観点から、建物の屋外の壁面や支柱に固定して通路側に突き出すように設置する袖看板が一般的に用いられている。
【０００３】
上記袖看板の取付方法は、袖看板の形状、重さなどにより異なるが、壁面若しくは支柱の一又は複数の箇所に設けられた取付部に袖看板を固定するのが一般的である。
【０００４】
上述の取付部は、建物の壁面や支柱に対して直接固定する部材（以下、取付脚という）と壁面や支柱の長手方向に対して交差する方向に延びている部材（以下、ブラケットという）とを備えている。
【０００５】
また、袖看板の設置において、取付け後に風や振動等から受ける外力により取付部から外れて落下する危険を回避するために、壁面や支柱に設けられた取付部とは別の箇所と看板又はブラケットとを結合する、いわゆる振れ止め部材を設置するのが通常である。
【考案の概要】
【考案が解決しようとする課題】
【０００６】
ところで、従来の取付部材は金属部材を加工したものであり、取付脚に対しブラケットを一体化する場合には溶接を用いることが多い。このような取付部材を生産する場合、金属部材を所定形状に変形加工するほかに、溶接を施す必要があり生産時におけるコストが問題である。同様に、振れ止め部材も生産時及び取付施工時における工程が増加しコスト増となる。また、袖看板を取付施工するとき、取付脚とブラケットが一体となっているため、支柱や壁面に袖看板を取り付ける高さや位置を調整する場合に困難である。
【０００７】
本考案の目的は、袖看板の取付施工が容易で、かつ、省スペース性に優れる看板取付ユニット及びそれを備える看板を提供することにある。
【課題を解決するための手段】
【０００８】
上記目的は、本考案の看板取付ユニットおよびそれを備える看板により達成される。すなわち、本考案に係る看板取付ユニットは、
上平面と下平面とを有する看板本体を支柱に取り付けるための看板取付ユニットであって、
長手方向に延びる板状の上部ホールド部と、前記上部ホールド部の長手方向の基端に前記上部ホールド部と交差する方向に延びる上部取付部とを備える上部看板ホールド部材と、
長手方向に延びる板状の下部ホールド部と、前記下部ホールド部の長手方向の基端に前記下部ホールド部と交差する方向に延びており前記下部ホールド部から下側に延びる下部支柱固定面を有する下部取付部と、を備える下部看板ホールド部材と、
上部支柱固定面と、前記上部支柱固定面と直角をなすように連続している看板係着面と、を備える係着部材と、
前記支柱の外周側面に対応する形状を有しその側面の一部が開放しており開放している部分に、前記上部支柱固定面に対向する上部看板取付面が設けられた上側バンド部材と、
前記下部取付部に対向する下部看板取付面が設けられた下側バンド部材と、
を備えることを特徴としている。
【０００９】
前記看板取付ユニットにおいて、前記上部ホールド部の先端側に前記上部ホールド部の上平面に立設する吊り部材を備えることが好ましい。
【００１０】
また、本考案は、看板本体と前記看板取付ユニットとを備える看板であって、
前記看板本体の上平面に対して前記上部ホールド部の長手方向の面を接合することで、前記上部看板ホールド部材が前記看板本体の上平面に取り付けられ、
前記看板本体の下平面に対して前記下部ホールド部の長手方向の面を接合し、前記下部看板ホールド部材が前記看板本体の下平面に取り付けられ、
前記上側バンド部材と前記下側バンド部材とを前記支柱の長手方向に離隔して配設され、
前記上側バンド部材の前記上部看板取付面と前記係着部材の前記上部支柱固定面とを当接させて前記支柱に前記係着部材が固定され、
前記係着部材の前記看板係着面と前記上部看板ホールド部材の前記上部取付部とが当接され、
前記下側バンド部材の前記下部看板取付面と前記下部看板ホールド部材の前記下部取付面とが当接して固定され、
前記看板本体が前記看板取付ユニットにより前記支柱に取り付けられることを特徴としている。
【００１１】
前記看板は、前記上側バンド部材の前記上部看板取付面と前記係着部材の前記上部支柱固定面を当接させる方向が、前記支柱の長手方向と直角をなし、
前記係着部材の看板係着面と前記上部看板ホールド部材の上部取付部とを当接させる方向が、前記支柱の長手方向と平行をなし、
前記下側バンド部材の下部看板取付面と前記下部看板ホールド部材の下部取付面とを当接させる方向が、前記支柱の長手方向と直角をなし、
前記看板本体が前記看板取付ユニットにより前記支柱に取り付けられることが好ましい。
【考案の効果】
【００１２】
このようにして、本考案によれば、看板の取付施工が容易で、かつ、省スペース性に優れる看板取付ユニット及びそれを備える看板を提供することができる。
【図面の簡単な説明】
【００１３】
【図１】本考案の実施形態に係る看板取付ユニット及びそれを備える看板の分解斜視図である。
【考案を実施するための形態】
【００１４】
以下、図面に示した実施形態に基づいて本考案を詳細に説明する。図１は、本考案の実施形態に係る看板取付ユニット及びそれを備える看板の分解斜視図である。
【００１５】
本考案の実施形態に係る看板取付ユニット１０は、図１に示すように上部看板ホールド部材２０と、下部看板ホールド部材４０と、係着部材５０と、上側バンド部材６０と、下側バンド部材７０と、を備えている。
【００１６】
本考案の実施形態に係る看板１は、図１に示すように、看板取付ユニット１０と、上平面９１と下平面９２とを有し、正面及び背面に広告内容を表示する看板本体９０とを一体とし、支柱８０に取り付けられている。
【００１７】
上部看板ホールド部材２０は、長手方向に延びる板状の上部ホールド部２１と、上部ホールド部２１の長手方向の基端に上部ホールド部と交差する方向に延びている上部取付部２２とを備える。
【００１８】
吊り部材３０は上部ホールド部２１の先端側に上部ホールド部２１の上平面に立設し、上部ホールド部２１の上平面と平行な方向に貫通する吊り穴３１が設けられている。
【００１９】
下部看板ホールド部材４０は、長手方向に延びる板状の下部ホールド部４１と、下部ホールド部４１の長手方向の基端に下部ホールド部と交差する方向に延びており下部ホールド部４１から下側に延びる下部支柱固定面４３を有する下部取付部４２と、を備える。
【００２０】
係着部材５０は、上部支柱固定面５１と、上部支柱固定面５１と略直角をなすように連続している看板係着面５２と、を備える。
【００２１】
上側バンド部材６０は、支柱８０の外周側面に対応する形状を有しその側面の一部が開放しており開放している部分に、上部支柱固定面５１に対向する上部看板取付面６１が設けられている。
【００２２】
下側バンド部材７０は、支柱８０の外周側面に対応する形状を有しその側面の一部が開放しており開放している部分に、下部取付部４２に対向する下部看板取付面７１が設けられている。
【００２３】
上部看板ホールド部材２０は、上部ホールド部２１と上部取付部２２を一体化して一体の部材で構成しても良いし、または別々の部材同士を接着、融着、鋲着、螺着等の一体化する手段により一体としても良い。また、上部看板ホールド部材２０は、上部ホールド部２１と上部取付部２２とが交差する上部ホールド部２１の基端において、平面視においてＴ字型となるように、上部取付部２２から上部ホールド部２１が突出しない形状とすることが好ましい。
【００２４】
また、上部ホールド部２１と上部取付部２２は、互いに平行な上平面と下平面とを有することが好ましい。上部ホールド部２１と上部取付部２２との互いの上平面及び下平面同士に段差を設けても良い。
【００２５】
下部看板ホールド部材４０は、上部看板ホールド部材２０と同様に、下部ホールド部４１と下部取付部４２とを一体化してもよい。
【００２６】
上部ホールド部２１の上平面に立設される吊り部材３０は、図１に示すように、細く長手の部材、いわゆる線条部材を屈曲させ、その両端を上部ホールド部２１の上平面に固定する形状や、また予め上部ホールド部２１の上平面と平行な方向に貫通する吊り穴３１を備えた形状の部材でも良く、形状や大きさは適宜選択することができる。
【００２７】
上部取付部２２の下平面形状と係着部材５０の看板係着面５２の上平面形状は、特に規制されることはないが、同形状、かつ同寸法であることが好ましい。同様に、上側バンド部材６０の上部看板取付面６１の形状と係着部材５０の上部支柱固定面の形状、下側バンド部材７０の下部看板取付面７１の形状と下部看板ホールド部材４０の下部取付部４２の形状もそれぞれ、同形状、かつ同寸法であることが好ましい。
【００２８】
上側バンド部材６０と下側バンド部材７０の形状は、支柱８０の外側面に当接し、その当接面の一部が開放する形状であれば、特に限定されることなく、矩形状、円状等適宜選択することができる。
【００２９】
看板１の上平面９１に対して上部ホールド部２１の長手方向の面を接合することで、上部看板ホールド部材２０を看板本体９０の上平面９１に取り付ける。
【００３０】
看板本体９０の下平面９２に対して下部ホールド部４１の長手方向の面を接合することで、下部看板ホールド部材４０を看板本体９０の下平面９２に取り付ける。
【００３１】
上側バンド部材６０と下側バンド部材７０とを支柱８０の長手方向に離隔して上側と下側とに配置し、上側バンド部材６０の内周面と下側バンド部材７０の内周面とを前記支柱８０の外周面に当接させる。
【００３２】
上側バンド部材６０の上部看板取付面６１と係着部材５０の上部支柱固定面５１を当接させる。
【００３３】
係着部材５０の看板係着面５２と上部看板ホールド部材２０の上部取付部２２とを当接させる。
【００３４】
下側バンド部材７０の下部看板取付面７１と下部看板ホールド部材４０の下部取付部４２とを当接して、固定する。
【００３５】
看板の上平面９１と上部ホールド部２１の長手方向の面、看板の下平面９２と下部ホールド部４１の長手方向の面を接合するときは、接着、融着、鋲着、螺着等の手段により行うことができる。図１では、看板の上平面９１、上部ホールド部２１の長手方向の面、看板の下面９２、下部ホールド部４１のそれぞれに挿通孔を設け、ネジなどの締結部材１００で接合している。
【００３６】
上側バンド部材６０の上部看板取付面６１と係着部材５０の上部支柱固定面５１、および下側バンド部材７０の下部看板取付面７１と下部看板ホールド部材４０の下部取付部４２と、を当接させ結合するときは、図１に示すように、上部看板取付面６１、上部支柱固定面５１、下部看板取付面７１、下部取付部４２のそれぞれに挿通孔を設け、ネジなどの締結部材１００で接合することが好ましい。
【００３７】
上部ホールド部２１に吊り部材３０を設けたときは、その吊り部材３０が形成する吊り穴３１にクレーンのフックやワイヤーロープ（図示せず）又はクレーンと連結するワイヤーロープを介挿させることにより、上部看板ホールド部材２０と下部看板ホールド部材４０とをそれぞれ接合した看板本体９０を吊り上げて静止させておくことができる。予め、上側バンド部材６０を係着部材５０により支柱８０に固定しておき、次いで、上部看板ホールド部材２０の上部取付部２２をクレーンを操作することにより係着部材５０の看板係着面５２に近接させ、係合させて看板の大凡の取付高さや取付位置を確認し、所望の取付高さ等を調整した後に、下側バンド部材７０と下部取付部４２とを結合し、看板取付ユニット１０を用いて看板本体９０を支柱８０に取り付けて固定することができる。
【００３８】
前記上側バンド部材６０の前記上部看板取付面６１と前記係着部材５０の前記上部支柱固定面５１を当接させる方向が、前記支柱８０の長手方向と直角をなすことが好ましい。
【００３９】
前記係着部材５０の看板係着面５２と前記上部看板ホールド部材２０の上部取付部２２とを当接させる方向が、前記支柱８０の長手方向と平行をなすことがこの好ましい。
【００４０】
前記下側バンド部材７０の前記下部看板取付面７１と前記下部看板ホールド部材４０の下部取付面４３とを当接させる方向が、前記支柱８０の長手方向と直角をなすことが好ましい。
【００４１】
即ち、前記上側バンド部材６０の前記看板取付面６１と前記係着部材５０の前記上部支柱固定面５１、前記係着部材５０の看板係着面５２と前記上部看板ホールド部材２０の上部取付部２２、及び前記下側バンド部材７０の下部看板取付面７１と前記下部看板ホールド部材４０の下部取付面４３、をそれぞれネジなどの締結部材１００を用いて固定するときには、まず、前記上部看板取付面６１と前記上部支柱固定面５１を前記支柱８０の外側面に対して垂直な方向から締結する。そのとき、前記看板本体９０、その他の部材がその締結位置周辺に無いために極めて締結しやすい。
【００４２】
次に、前記看板係着面５２と前記上部取付部２２とを当接させ、前記支柱８０の長手方向と平行な方向、例えば、前記上部取付部２２の上平面の上側から締結する。このとき、前記上部取付部２２の上側には、他の部材や従来用いられていた振れ止め部材などが無いために極めて締結しやすい。
【００４３】
次に、前記下部看板取付面７１と前記下部取付面４３とを当接させ、前記支柱８０の外側面に対して垂直な方向から締結する。そのとき、前記看板本体９０、その他の部材がその締結位置周辺に無いために極めて締結しやすい。
【００４４】
従って、前記看板本体９０を前記看板取付ユニット１０により前記支柱８０に取り付けることが極めて容易となる。
【００４５】
本考案は上記実施形態で説明したように、袖看板の取付施工が容易で、かつ、省スペース性に優れる看板取付ユニット及びそれを備える看板を提供することができる。また、上記の本考案を説明する形状、構造又は組み合わせは、上記の実施形態に限定されることなく、本考案の目的を達成することが可能な範囲において変形、変更をすることができる。
【符号の説明】
【００４６】
１：看板
１０：看板取付ユニット
２０：上部看板ホールド部材
２１：上部ホールド部
２２：上部取付部
３０：吊り部材
３１：吊り穴
４０：下部看板ホールド部材
４１：下部ホールド部
４２：下部取付部
４３：下部支柱固定面
５０：係着部材
５１：支柱固定面
５２：看板係着面
６０：上側バンド部材
６１：上部看板取付面
７０：下側バンド部材
７１：下部看板取付面
８０：支柱
９０：看板本体
９１：看板本体の上平面
９２：看板本体の下平面
１００：締結部材
【図１】
0003206475.tif 000003